(57)【要約】【課題】防水シートの下端から土台へ水や湿気を浸透し難くして、土台が腐らないようにする。【解決手段】基礎１の上面側の建築躯体に胴縁３が配置され、胴縁３の一方の側面に当接する防水シート５が配置され、胴縁３に下地板１４が取着され、下地板１４及び防水シート５は、それら下端が基礎立上げ面１ｂと対面する位置まで延びており、基礎立上げ面１ｂと下地板１４で防水シート５を挟み込んだこと。【効果】下地板１４及び防水シート５の各下端が基礎立上げ面１ｂと対面する位置まで延びているため、防水シート５の下端から立ち上がって土台２へ至る距離が長くなり、防水シート５の下端から土台２へ水や湿気が浸透し難くなり、基礎立上げ面１ｂと下地板１４で防水シート５の下側を挟み込むことで、防水シート５の下側を土台２から確実に離すことができ、土台２へ水や湿気が浸透し難くでき、土台２を腐らすこともない。【選択図】図１
2005105654.tif 000002
【特許請求の範囲】
【請求項１】
基礎の上面側の建築躯体に胴縁が配置され、該胴縁の一方の側面に当接する防水シートが配置され、該胴縁に下地板が取着された部屋の壁構造において、前記下地板及び前記防水シートは、それら下端が基礎の立上げ面と対面する位置まで延びており、前記基礎の立上げ面と前記下地板で前記防水シートを挟み込んだことを特徴とする部屋の壁構造。
【請求項２】
基礎の上面と該基礎の上面に配置した土台の長手側面とで段部が形成され、該段部の上方に形成した段部厚み空間に胴縁が配置され、該胴縁に耐水性を有する下地板が取着された部屋の壁構造において、前記下地板は、可撓性を有し、その下側が基礎の立上げ面と対面する位置まで延びていることを特徴とする部屋の壁構造。
【請求項３】
基礎の上面側の建築躯体に胴縁が配置され、該胴縁に耐水性を有する下地板が取着された部屋の壁構造において、前記基礎の長手方向に沿ってその厚み寸法にばらつきがあり、前記下地板は、可撓性を有し、その下側が前記基礎の立上げ面と対面する位置まで延びていることを特徴とする部屋の壁構造。
【請求項４】
基礎の上面と該基礎の上面に配置した土台の長手側面とで段部が形成され、該段部の上方に形成した段部厚み空間に胴縁が配置され、該胴縁の内側面または外側面に当接する防水シートが配置され、該胴縁に下地板が取着された部屋の壁構造において、前記下地板は可撓性を有し、前記下地板及び前記防水シートは、その下側が基礎の立上げ面と対面する位置まで延びていることを特徴とする部屋の壁構造。
【請求項５】
基礎の上面側の建築躯体に胴縁が配置され、該胴縁の一方の側面に当接する防水シートが配置され、該胴縁に耐水性を有する下地板が取着された部屋の壁構造において、前記基礎の長手方向に沿ってその厚み寸法にばらつきがあり、前記下地板は可撓性を有し、前記下地板及び前記防水シートは、その下側が前記基礎の立上げ面と対面する位置まで延びており、前記基礎の立上げ面と前記下地板で前記防水シートを挟み込んだことを特徴とする部屋の壁構造。
【請求項６】
基礎の上面側の建築躯体に胴縁が配置され、該胴縁の一方の側面に当接する防水シートが配置され、該胴縁に下地板が取着され、該基礎の立上げ面と対面する室内側に、周囲に起立壁を立設した防水パンが配置された部屋の壁構造において、前記胴縁は、前記防水パンの起立壁の内面と対面する位置まで延びており、前記下地板及び前記防水シートは、それら下端が防水パンの起立壁の内面と対面する位置まで延びており、前記基礎の立上げ面と前記下地板で前記防水パンの起立壁、前記胴縁及び前記防水シートを挟み込んだことを特徴とする部屋の壁構造。
【発明の詳細な説明】
【技術分野】
【０００１】
本発明は、浴室、洗面所又は便所等の水回り設備が備えられる部屋の乾式施工する壁構造に関するものである。
【背景技術】
【０００２】
従来、水回り設備が備えられる部屋の乾式施工する壁構造としては、図８（防水シート５及び下地板４を取着する前の状態を示す断面図）及び図９（完成した壁構造を示す断面図）に示す如く、基礎１の仕上げられた上面１ａに土台２が配置されると共に土台２の長手側面２ａより張り出すように胴縁３が配置され、胴縁３に下地板４が取着されたものがある。防水シート５は、必要に応じて配置されるものであり、胴縁３の内側面３ａまたは外側面３ｂに当接するように配置される。下地板４の表面には、タイル６が貼着されている。下地板４は、石綿からなる繊維で強化したセメント板が用いられる（非特許文献１）。
【非特許文献１】「内装壁タイルの乾式商品  施工マニアル」株式会社ＩＮＡＸ、１９９６年１０月２０日、Ｐ．２〜３１
【発明の開示】
【発明が解決しようとする課題】
【０００３】
しかし、従来の部屋の壁構造については、次のような問題点がある。
（１）施工業者が異なるため、防水シート５及び下地板４の施工は、大工により基礎１の上面１ａより上方側で行われ、基礎１の立上げ面１ｂの仕上げ７については、左官工によるタイル貼り施工等と並行して行われる。防水シート５及び下地板４の下端と基礎立上げ面１ｂの仕上げ部７の上端との境界部Ｄは、土台２に接近しているため、防水を良好にして、室内Ｒ側の水が土台２へ浸透するのを阻止する必要がある。しかし、振動や部材の熱膨張の差異等により該境界部Ｄに亀裂が生じたときは、防水の機能を喪失した亀裂箇所から接近している土台２へ室内Ｒ側の水が浸透して木質又は金属製の土台２を腐らすことがある。この問題は、室内Ｒ側に防水パンを配置した場合にも生じる。
【０００４】
（２）上記（１）記載の問題を解決するために、図示は省略したが、防水シート５の下端側のみを延ばして垂れ下げ、基礎１の立上げ面１ｂを防水シート５で覆い、防水シート５の下端部をモルタル８（図９参照）で覆って防水することが考えられる。しかし、防水シート５の下端側が垂れ下げ状態であるため、立上げ面１ｂと防水シート５とは接着しておらず、立上げ面１ｂの仕上げ部７と基礎１とが接合していない状態となる。そのため、仕上げ部７を自立した壁とするか、別途、基礎１と連結させる構造とする等が必要になる問題が生じる。
【０００５】
（３）上記（１）及び（２）記載の問題を解決するために、図１０に示す如く、防水シート５及び下地板４の下端側を延ばして、基礎１の立上げ面１ｂを防水シート５及び下地板４で覆い、防水シート５及び下地板４の下端部をモルタル等のシール層８で覆って防水することが考えられる。ところが、基礎１の長手方向に沿ってその厚み寸法にばらつきが生じたり、基礎１と土台２との間でズレが生じたり、または、基礎１の上面１ａを仕上げるモルタル層１ｃの端縁１ｃ−１が立上げ面１ｂより突出したりすることがあり、基礎１の立上げ面１ｂや端縁１ｃ−１が胴縁３の取着面３ａより突出して、下地板４を取着するための胴縁取着面３ａや基礎立上げ面１ｂからなる下地板取着用施工面の全体が面一にならずに部分的に突起部Ａ（同図（Ｂ）参照）を形成することがある。しかし、突起部Ａがある施工面に対して下地板４をビス止め９したとき、突起部Ａで下地板４及び防水シート５を局所的に強く押圧することになり、石綿で強化したセメント板からなる下地板４に大きな亀裂Ｂが生じると共に、防水シート５に破断が生じ、防水の機能を喪失した箇所から浸透した水で木質又は金属製の土台２を腐らすことがある。
【課題を解決するための手段】
【０００６】
上記（１）及び（２）に記載の問題を解決するために請求項１記載の本発明が採用した手段は、基礎の上面側の建築躯体に胴縁が配置され、該胴縁の一方の側面に当接する防水シートが配置され、該胴縁に下地板が取着された部屋の壁構造において、前記下地板及び前記防水シートは、それら下端が基礎の立上げ面と対面する位置まで延びており、前記基礎の立上げ面と前記下地板で前記防水シートを挟み込んだことを特徴とする部屋の壁構造である。なお、基礎の立上げ面と防水シートの隙間へ水や湿気を浸透させないように、基礎の立上げ面と防水シートの下端縁との隙間をモルタル等のシール剤で防水することもある。
本発明にあっては、下地板及び防水シートの各下端が基礎の立上げ面と対面する位置まで延びているため、防水シートの下端から立ち上がって土台へ至る距離が長くなり、防水シートの下端から土台へ水や湿気が浸透し難くなる。また、本発明にあっては、基礎の立上げ面と下地板で防水シートの下側を挟み込んであるため、防水シートの下側を土台から確実に離すことができ、防水シートの下端から土台へ水や湿気が浸透し難くなる。
【０００７】
上記（１）及び（３）に記載の問題を解決するために請求項２記載の本発明が採用した手段は、基礎の上面と該基礎の上面に配置した土台の長手側面とで段部が形成され、該段部の上方に形成した段部厚み空間に胴縁が配置され、該胴縁に耐水性を有する下地板が取着された部屋の壁構造において、前記下地板は、可撓性を有し、その下側が基礎の立上げ面と対面する位置まで延びていることを特徴とする部屋の壁構造である。なお、基礎の立上げ面と下地板の隙間へ水や湿気を浸透させないように、基礎の立上げ面と耐水性の下地板の下端縁との隙間をモルタル等のシール剤で防水することもある。
本発明にあっては、耐水性を有する下地板の下端が基礎の立上げ面と対面する位置まで延びているため、耐水性の下地板の下端から立ち上がって土台へ至る距離が長くなり、耐水性下地板の下端から土台へ水や湿気が浸透し難くなる。また、本発明にあっては、基礎と土台で形成した段部の側縁が突出して、下地板を取着するための下地板取着用施工面に突起部が形成され、この突起部で下地板が局所的に強く押圧されても、可撓性を有する下地板が撓み変形するため、下地板に透水の原因となる大きな亀裂を生じさせない。
【０００８】
上記（１）及び（３）に記載の問題を解決するために請求項３記載の本発明が採用した手段は、基礎の上面側の建築躯体に胴縁が配置され、該胴縁に耐水性を有する下地板が取着された部屋の壁構造において、前記基礎の長手方向に沿ってその厚み寸法にばらつきがあり、前記下地板は、可撓性を有し、その下側が前記基礎の立上げ面と対面する位置まで延びていることを特徴とする部屋の壁構造である。なお、基礎の立上げ面と耐水性の下地板の隙間へ水や湿気を浸透させないように、基礎の立上げ面と下地板の下端縁との隙間をモルタル等のシール剤で防水することもある。
本発明にあっては、耐水性を有する下地板の下端が基礎の立上げ面と対面する位置まで延びているため、耐水性の下地板の下端から立ち上がって土台へ至る距離が長くなり、耐水性下地板の下端から土台へ水や湿気が浸透し難くなる。また、本発明にあっては、基礎の長手方向に沿ってその厚み寸法にばらつきがあるために、下地板を取着するための下地板取着用施工面に、基礎の突出した上面側縁で突起部を形成し、この突起部で下地板を局所的に強く押圧しても、可撓性を有する下地板が撓み変形するため、下地板に透水の原因となる大きな亀裂を生じさせない。
【０００９】
上記（１）乃至（３）に記載の問題を解決するために請求項４記載の本発明が採用した手段は、基礎の上面と該基礎の上面に配置した土台の長手側面とで段部が形成され、該段部の上方に形成した段部厚み空間に胴縁が配置され、該胴縁の内側面または外側面に当接する防水シートが配置され、該胴縁に下地板が取着された部屋の壁構造において、前記下地板は可撓性を有し、前記下地板及び前記防水シートは、その下側が基礎の立上げ面と対面する位置まで延びていることを特徴とする部屋の壁構造である。なお、防水を確実なものとするために、耐水性を有する前記下地板とすることもある。
本発明にあっては、防水シートの下端が基礎の立上げ面と対面する位置まで延びているため、防水シートの下端から立ち上がって土台へ至る距離が長くなり、防水シートの下端から土台へ水や湿気が浸透し難くなる。また、本発明にあっては、基礎の立上げ面と下地板で防水シートの下側を挟み込んであるため、防水シートの下端を土台から確実に離すことができる。更に、本発明にあっては、基礎と土台で形成した段部の側縁が突出して、下地板を取着するための下地板取着用施工面に突起部が形成され、この突起部で下地板が局所的に強く押圧されても、可撓性を有する下地板が撓み変形するため、下地板に透水の原因となる大きな亀裂や、防水シートに透水の原因となる破断を生じさせない。
【００１０】
上記（１）乃至（３）に記載の問題を解決するために請求項５記載の本発明が採用した手段は、基礎の上面側の建築躯体に胴縁が配置され、該胴縁の一方の側面に当接する防水シートが配置され、該胴縁に下地板が取着された部屋の壁構造において、前記基礎の長手方向に沿ってその厚み寸法にばらつきがあり、前記下地板は可撓性を有し、前記下地板及び前記防水シートは、その下側が前記基礎の立上げ面と対面する位置まで延びており、前記基礎の立上げ面と前記下地板で前記防水シートを挟み込んだことを特徴とする部屋の壁構造である。なお、防水を確実なものとするために、耐水性を有する前記下地板とすることもある。
本発明にあっては、防水シートの下端が基礎の立上げ面と対面する位置まで延びているため、防水シートの下端から立ち上がって土台へ至る距離が長くなり、防水シートの下端から土台へ水や湿気が浸透し難くなる。また、本発明にあっては、基礎の立上げ面と下地板で防水シートの下側を挟み込んであるため、防水シートの下端を土台から確実に離すことができる。更に、本発明にあっては、基礎の長手方向に沿ってその厚み寸法にばらつきがあるために、下地板を取着するための下地板取着用施工面に、基礎の突出した上面側縁で突起部を形成し、この突起部で下地板を局所的に強く押圧しても、可撓性を有する下地板が撓み変形するため、防水シートに透水の原因となる破断を生じさせない。
【００１１】
室内側に防水パンを配置した場合に生じる上記（１）に記載の問題を解決するために請求項６記載の本発明が採用した手段は、基礎の上面側の建築躯体に胴縁が配置され、該胴縁の一方の側面に当接する防水シートが配置され、該胴縁に下地板が取着され、該基礎の立上げ面と対面する室内側に、周囲に起立壁を立設した防水パンが配置された部屋の壁構造において、前記胴縁は、前記防水パンの起立壁の内面と対面する位置まで延びており、前記下地板及び前記防水シートは、それら下端が防水パンの起立壁の内面と対面する位置まで延びており、前記基礎の立上げ面と前記下地板で前記防水パンの起立壁、前記胴縁及び前記防水シートを挟み込んだことを特徴とする部屋の壁構造である。なお、防水パンの起立壁と防水シートの隙間へ水や湿気を浸透させないように、防水パンの起立壁と防水シートの下端縁との隙間をモルタル等のシール剤で防水することもある。
本発明にあっては、下地板及び防水シートの各下端が防水パンの起立壁の内面と対面する位置まで延びているため、防水シートの下端から立ち上がって土台へ至る距離が長くなり、防水シートの下端から土台へ水や湿気が浸透し難くなる。また、本発明にあっては、基礎の立上げ面と下地板で防水パンの起立壁及び防水シートの下側を挟み込んであるため、防水シートの下側を土台から確実に離すことができ、防水シートの下端から土台へ水や湿気が浸透し難くなる。
【００１２】
前記請求項中の「建築躯体」とは、柱、間柱、ツーバイフォー工法のパネル、土台などを意味する。
【発明の効果】
【００１３】
請求項１及び６記載の本発明は、防水シートの下端から上方へ離れた土台へ水や湿気が浸透し難くなるので、土台を腐らすこともない。
【００１４】
請求項２及び３記載の本発明は、耐水性の下地板の下端から上方へ離れた土台へ水や湿気が浸透し難くなるので、土台を腐らすこともない。また、下地板を取着するための下地板取着用施工面に形成された突起部で下地板が局所的に強く押圧されても、可撓性の下地板が変形するので、下地板に透水の原因となる大きな亀裂を生じさせず、土台を腐らすこともない。
【００１５】
請求項４及び５記載の本発明は、基礎の立上げ面と下地板で挟み込まれた防水シートの下端から上方の土台までが確実に離れることで、水や湿気が浸透し難くなり、土台を腐らすこともない。また、下地板を取着するための下地板取着用施工面に形成された突起部で下地板が局所的に強く押圧されても可撓性の下地板が変形するので、下地板に透水の原因となる大きな亀裂や、防水シートに透水の原因となる破断を生じさせず、土台を腐らすこともない。
【発明を実施するための最良の形態】
【００１６】
本発明に係る部屋の壁構造（以下、「本発明壁構造」と言う。）を図面に示す実施形態に基づいて説明する。
【００１７】
（第１の実施の形態）
図１乃至図５は本発明壁構造の第１の実施の形態を示すものであって、図１は胴縁を配置する前の建物の骨組みを示す斜視図、図２（Ａ）は室内Ｒ側に胴縁３を配置し、防水シート５及び下地板１４を配置する前の状態を示す断面図、図２（Ｂ）は胴縁取着面３ａや基礎立上げ面１ｂからなる下地板取着用施工面に突起部Ａが形成されている状態を拡大して示す断面図、図３は室内Ｒ側に胴縁３、防水シート５及び下地板１４を配置した状態を示す断面図、図４は防水シート５及び下地板１４の下端縁をモルタル等のシール剤８で封止した状態を示す断面図、図５は下地板１４及び床にタイル６を貼着した状態を示す断面図である。
【００１８】
本実施の形態に係る本発明壁構造１０は、図１に示す如く、基礎１の上面１ａに固定された土台２と、土台２の上面に起立した柱１１及び間柱１２等から骨組みされた建築躯体に構築される。土台２、柱１１及び間柱１２は、木質又は金属製が適宜選択される。本発明壁構造１０は、図３に示す如く、基礎１の上面１ａ側の建築躯体に胴縁３が配置され、胴縁３の側面３ａ，３ｂの一方（図３の場合は室内側面３ａ）に当接する防水シート５が配置され、胴縁３に下地板１４が取着されている。胴縁３は、木質又は合成樹脂製のものが用いられ、図示する縦胴縁の他に、横胴縁（図示略）を用いることもある。なお、建築躯体は、軸組方式以外に、ツーバイフォー工法のパネルを採用することも可能である。
【００１９】
本発明壁構造１０の第１の改良点は、図３に示す如く、下地板１４及び防水シート５について、それら下端１４ａ，５ａが基礎１の露出する立上げ面１ｂ（好ましくは、立上げ面１ｂの下端寄り）と対面する位置まで延ばし、基礎１の立上げ面１ｂと下地板１４で防水シート５の下側を挟み込んだことである。基礎１の立上げ面１ｂと防水シート５の隙間へ水や湿気を浸透させないように、本発明壁構造１０は、図４に示す如く、基礎１の立上げ面１ｂと防水シート５及び下地板１４の各下端縁との隙間を、モルタル等のシール層８で防水している。防水シート５としては、ポリエチレンなどのプラスチック系フィルム、または、紙の基材にコールタール等の防水剤を含浸させたもの等が用いられる。
【００２０】
本発明壁構造１０は、図３に示す如く、下地板１４及び防水シート５の各下端１４ａ，５ａが基礎立上げ面１ｂと対面する位置まで延ばす前記改良により、防水シート５の下端から立ち上がって土台２へ至る距離が長くなり、防水シート５の下端から土台２へ水や湿気が浸透し難くなる。本発明壁構造１０は、基礎立上げ面１ｂと下地板１４で防水シート５の下側を挟み込んであるため、防水シート５の下側を土台２から確実に離すことができ、防水シート５の下端５ａから土台２へ水や湿気が浸透し難くなり、土台２を腐ることもない。
【００２１】
図２（Ｂ）に示す如く前記下地板１４を取着するための胴縁３の室内側面（下地板取着面）３ａ及び基礎１の立上げ面１ｂからなる下地板取着用施工面は、部分的（殊に、胴縁室内側面３ａと基礎立上げ面１ｂとの境界部）に突出した突起部Ａが形成され、面一の平坦面とならない場合がある。その原因としては、基礎１の上面１ａと基礎上面１ａに配置した土台２の長手側面２ａとで段部Ｇ（図２参照）が形成され、段部Ｇの上方に形成した段部厚み空間Ｓに胴縁３が配置されるため、前述した如く、基礎１の長手方向に沿ってその厚み寸法にばらつきが生じて（図１のＥの部分）基礎立上げ面１ｂが胴縁３の室内側面３ａより室内側へ突出する場合、基礎１と土台２との間でズレが生じて基礎立上げ面１ｂが胴縁３の室内側面３ａより室内側へ突出する場合、または、基礎１の上面１ａを仕上げるモルタル層１ｃ（図２（Ｂ）参照）の端縁１ｃ−１が基礎立上げ面１ｂより突出する場合がある。
【００２２】
本発明壁構造１０の第２の改良点は、前記突起部Ａが形成されることが有り得ることを考慮して、下地板１４に可撓性のある防水板を用いたことである。可撓性の下地板１４としては、例えば、セメント状心板の平面的に広がる両表面側に補強ガラス繊維のメッシュシートを埋め込んで、両表面側を補強したセメントボード（特許第２６７３９２７号公報参照）が用いられる。このセメントボードからなる可撓性下地板１４は、外力により板内で大きな曲げ応力が発生して弾性変形したとき、透水の原因となる大きな亀裂が生じることはなく、透水の原因とならない微細なクラック（マイクロクラック）が発生するだけである。このセメントボードからなる可撓性下地板１４を取着するために、前記突起部Ａのある下地板取着用施工面の胴縁取着面３ａにビス止め９した場合、突起部Ａで局所的に強く押圧されて板内に発生した曲げ応力で弾性変形して撓んだとしても、透水の原因となる大きな亀裂が生じることはない。可撓性のあるセメントボードからなる下地板１４は、耐水性を有する。
【００２３】
本発明壁構造１０は、図５に示す如く、取着された下地板１４及び／又は床を形成するシール層８に複数枚のタイル６が整列した状態で、接着剤（図示略）を用いて接着される。なお、本発明壁構造１０は、室内床面Ｆが極端に濡れることのない現場（例えば、洗面所や便所）では、耐水性の下地板１４を用いたとき、前記防水シート５を省略することもある。
【００２４】
前記セメントボードからなる下地板１４は、形成型にセメントを流し込んで成形する場合、型表面に接する一方の表面が平滑面で、型表面に接しない他方の表面が凹凸の激しい粗面となることがある。この下地板１４に複数枚の平らなタイル６を貼着する場合には、貼着タイル群表面の面一仕上げを容易にするために、下地板１４の平滑面にタイル６を貼着することが好ましい。そして、前記胴縁３に下地板１４の粗面を当接させて取着する場合には、胴縁３と下地板１４の粗面との間に合成樹脂等から形成した最適厚みのスペーサー（図示略）を挟み込んで、隣接する下地板１４の平滑面どうしが面一となるようにするとよい。
【００２５】
本発明壁構造１０の外側は、図２に示す如く、土台２、柱１１及び間柱１２等から骨組みした建築躯体に、胴縁１３を取り付けると共に、胴縁１３に外壁板１6 を取り付けてある。
【００２６】
次に、本発明壁構造１０の施工手順を説明する。先ず、図１に示すように骨組みされた建物の室内側に、図２に示す如く胴縁３を取り付けて配置する。次に、図２及び図３に示す如く、胴縁３及び基礎１の立上げ面１ｂを覆うように防水シート５を胴縁３に止付け釘１５で取り付ける。続けて、防水シート５を覆うように下地板１４を胴縁３にビス止め９で取り付ける。このとき、防水シート５及び下地板１４は、基礎１の立上げ面１ｂと対面する位置まで延ばし、基礎１の立上げ面１ｂと下地板１４で防水シート５の下側を挟み込むように施工する。胴縁３、防水シート５及び下地板１４の取り付けは、大工によって行われる。最後に、図４に示す如く、基礎１の立上げ面１ｂと防水シート５及び下地板１４の各下端縁との隙間を、モルタル等のシール層８で防水すると共に、図５に示す如く、下地板１４及びシール層８にタイル６を接着剤で貼着して壁を完成させる。
【００２７】
なお、胴縁３より外側に防水シート５を配置する場合には、図示は省略したが、図１に示すように骨組みされた建物の室内側に防水シート５を止付け釘１５（図２参照）で取り付け、その後に、防水シート５の上から胴縁３を取り付けて配置する。最後に、前記同様にして、基礎１の立上げ面１ｂと防水シート５及び下地板１４の各下端縁との隙間を、モルタル等のシール層８で防水すると共に、下地板１４及びシール層８にタイル６を接着剤で貼着して壁を完成させる。
【００２８】
（第２の実施の形態）
図６及び図７は本発明壁構造の第２の実施の形態を示すものであって、図６は室内Ｒ側に胴縁２３を配置し、防水シート５及び下地板１４を配置する前の状態を示す断面図、図７は下地板１４及び床にタイル６を貼着した状態を示す断面図である。
【００２９】
本実施の形態に係る本発明壁構造２０が前記第１の実施の形態と大きく相違する点は、室内Ｒの床を防水パン２１で構成したことである。本発明壁構造２０において、基礎１の上面側の建築躯体に胴縁２３が配置され、胴縁２３の一方の側面に当接する防水シート５が配置され、胴縁２３に下地板１４が取着されている点については、前記第１の実施の形態と実質的に同一である。
【００３０】
本実施の形態に係る本発明壁構造２０は、基礎１の立上げ面１ｂと対面する室内Ｒ側に、周囲に起立壁２１ａを立設した防水パン２１が配置されている。防水パン２１は、土間の上に脚２２等を介して配置される。胴縁２３は、下端寄りに切欠き段部２３ｃを形成して、防水パン２１の起立壁２１ａの内面と対面する位置まで延ばしてある。胴縁２３は、その下端が防水パン２１の上に位置することから、樹脂製を用いるのが好ましい。下地板１４及び防水シート５は、それら下端が防水パン２１の起立壁２１ａの内面と対面する位置まで延びており、基礎立上げ面１ｂと下地板１４で防水パン起立壁２１ａ、胴縁２３及び防水シート５を挟み込んである。本発明壁構造２０は、防水パン２１の起立壁２１ａと、胴縁２３、防水シート５及び下地板１４の各下端縁との隙間を、モルタル等のシール層８で防水し、水や湿気が土台２へ浸透するのを防止している。
【００３１】
本発明壁構造２０は、耐水性の下地板１４及び防水シート５の各下端１４ａ，５ａが防水パン２１の起立壁２１ａの内面と対面する位置まで延びているため、防水シート５の下端から立ち上がって土台２へ至る距離が長くなり、防水シート５の下端から土台２へ水や湿気が浸透し難くなる。また、本発明壁構造２０は、基礎１の立上げ面１ｂと下地板１４で防水パン２１の起立壁２１ａ及び防水シート５の下側を挟み込んであるため、防水シート５の下側を土台２から確実に離すことができ、防水シート５の下端から土台２へ水や湿気が浸透し難くなり、土台２を腐ることもない。
【図面の簡単な説明】
【００３２】
【図１】本発明壁構造の第１の実施の形態を示すものであって、胴縁を配置する前の状態の建物の骨組みを示す斜視図である。
【図２】同実施の形態を示すものであって、（Ａ）は室内側に胴縁を配置し、防水シート及び下地板を配置する前の状態を示す断面図、（Ｂ）は胴縁取着面や基礎立上げ面からなる下地板取着用施工面に突起部が形成されている状態を拡大して示す断面図である。
【図３】同実施の形態を示すものであって、室内側に胴縁、防水シート及び下地板を配置した状態を示す断面図である。
【図４】同実施の形態を示すものであって、防水シート及び下地板の下端縁をモルタル等のシール剤で封止した状態を示す断面図である。
【図５】同実施の形態を示すものであって、下地板及び床にタイルを貼着した状態を示す断面図である。
【図６】本発明壁構造の第２の実施の形態を示すものであって、室内側に胴縁を配置し、防水シート及び下地板を配置する前の状態を示す断面図である。
【図７】同実施の形態を示すものであって、下地板及び床にタイルを貼着した状態を示す断面図である。
【図８】従来の部屋の壁構造の実施の形態を示すものであって、室内側に胴縁を配置し、防水シート及び下地板を配置する前の状態を示す断面図である。
【図９】同実施の形態を示すものであって、下地板及び床にタイルを貼着した状態を示す断面図である。
【図１０】（Ａ）は下地板の施工面に形成された突起部で従来の下地板が局所的に強く押圧されて亀裂が生じた状態を示す断面図、（Ｂ）は下地板の施工面に形成された突起部を拡大して示す断面図である。
【符号の説明】
【００３３】
１…基礎、１ｂ…立上げ面，２…土台、３（２３）…胴縁、５…防水シート、１４…下地板、21…防水パン
【図１】
2005105654.tif 000003
【図２】
2005105654.tif 000004
【図３】
2005105654.tif 000005
【図４】
2005105654.tif 000006
【図５】
2005105654.tif 000007
【図６】
2005105654.tif 000008
【図７】
2005105654.tif 000009
【図８】
2005105654.tif 000010
【図９】
2005105654.tif 000011
【図１０】
2005105654.tif 000012